(57)【要約】【課題】  マッサージ効果が極めて高く、全方向に対して血行の促進効果が大きく、また保温効果も大きいインナー・ウェアを提供する。【解決手段】  編地からなるインナー・ウェアの内面に、内方に突出する畝が形成されたマッサージ領域Ａが設けられており、畝は実質的に編地のコース方向に延在し且つ同じ波長で隣合って並列した２本の第１波状畝１１、１２と、第１波状畝に対して半波長分ずれており且つ隣合って並列した２本の第２波状畝２１、２２とが交互に多数本形成されており、第１波状畝の一方１２の波の山と第２波状畝の一方２２の波の谷とが接しまたは接近し、他方の第１波状畝１１の波の谷と他方の第２波状畝２１の波の山とが接しまたは接近しており、互いに接しまたは接近する第１波状畝と第２波状畝に囲まれた凹部３０がインナー・ウェアの内面に形成されているインナー・ウェアである。【選択図】        図３
2006144197.tif 000002
【特許請求の範囲】
【請求項１】
編地からなるインナー・ウェアの内面に、内方に突出する畝が形成されたマッサージ領域が設けられており、前記畝は実質的に編地のコース方向に延在し且つ同じ波長で隣合って並列した２本の第１波状畝と、該第１波状畝に対して半波長分ずれており且つ隣合って並列した２本の第２波状畝とが交互に多数本形成されており、前記２本の第１波状畝の一方の波の山と前記２本の第２波状畝の一方の波の谷とが接しまたは接近し、他方の第１波状畝の波の谷と他方の第２波状畝の波の山とが接しまたは接近しており、互いに接しまたは接近する第１波状畝と第２波状畝に囲まれた凹部がインナー・ウェアの内面に形成されていることを特徴とするインナー・ウェア。
【請求項２】
前記第１波状畝を形成する各畝および第２波状畝を形成する各畝はウェール方向において１つの保持ループに対して連続してウエルトループが４コース分以上が形成された浮き編が１〜３ウェールの間隔を開けて編成され且つ前記浮き編の開始位置が波状に順次ずらされて、前記波状畝が形成されていることを特徴とする請求項１記載のインナー・ウェア。
【発明の詳細な説明】
【技術分野】
【０００１】
本発明はインナー・ウェアに関するものである。本発明におけるインナー・ウェアは身体にフィットさせた状態で着用するものであり、例えば、パンツ部を有するインナー（ガードル、スパッツ、タイツ、パンティストッキング等）、上衣用インナー（タンクトップ、キャミソール、肌着、スリップ、チューブ・トップ、オール・イン・ワン等）、サポータ、腹巻、靴下（ソックス、ハイソックス、オーバーニー等）である。
【背景技術】
【０００２】
インナー・ウェアは、肌に直接つけて衛生を保つ、体形を整える、表着との間に着て滑りをよくする、保温する等の機能の何れかを有するものであるが、最近では、身体にフィットさせた状態で着用するインナー・ウェアが多用されている。このような身体にフィットさせた状態で着用するインナー・ウェアには、伸縮性の大きい編地が少なくともフィットさせたい部分に使用されている。
【０００３】
身体にフィットさせた状態で着用するインナー・ウェアにおいては、着圧を変化させることにより、血液の還流を促したり、フィットさせた部位にマッサージ効果等をもたらすことが従来から提案されている。
【０００４】
本願出願人は先に下記の特許文献１において、編地からなるインナー・ウェアの内面に、内方に突出する畝が多数本形成されており、この畝が互いに平行に且つ右上がりに延在する斜めの畝と互いに平行に且つ左上がりに延在する斜めの畝とからなり、これら２種類の斜めの畝が互いに交差して菱形状の隆起部が連続して形成されていることを特徴とするインナー・ウェアを提案した。この特許文献１に開示されているものでは、菱形状の隆起部によって着圧を変化させて、マッサージ効果を得るようにしたものである。
【０００５】
また、本願出願人は下記の特許文献２において、インナー・ウェアの内面に突起する畝の形状を前記特許文献１のものとは変えたものを提案している。この特許文献２においては、畝は編地のコース方向に延在する直線状の畝と、この直線状畝に接し且つ直線状畝を挟んで向い合った２つの波状の畝との組合わせからなる複合畝とし、この複合畝を多数本形成した複合畝領域をインナー・ウェアの内面に形成することが提案されている。特許文献２のインナー・ウェアも複合畝の働きによりマッサージ効果を高めようとしたものである。
【０００６】
【特許文献１】特許第３４１５６１７号公報
【特許文献２】特開２００４−２０４４１１号公報
【発明の開示】
【発明が解決しようとする課題】
【０００７】
マッサージ効果を高めるためには皮膚との接触面積が大きい方がよいが、特許文献１に開示しているものでは、畝の幅を広くしようとすると畝の高さが高くなってしまい、着用したときに単にその高さが潰れた状態で接触するだけであるので、着圧効果が弱くなってしまう。そのため、着圧効果を保ったまま畝の幅を広くすることが困難である。また、特許文献２における複合畝においては、直線状の畝が高く、両側の波状の畝を低くしているので畝の跡が皮膚につき難いが、マッサージ効果が弱くなってしまう。また、空気を溜めるための凹部が確保されていないので保温性が十分でない。
【０００８】
本発明は先に本願出願人が提案したインナー・ウェアよりも、より一層マッサージ効果が高く、全方向に対して血行の促進効果が大きく、また保温効果も大きいインナー・ウェアを提供することを目的とするものである。
【課題を解決するための手段】
【０００９】
本発明は、編地からなるインナー・ウェアの内面に、内方に突出する畝が形成されており、該畝は実質的に編地のコース方向に延在し且つ同じ波長で隣接した２本の第１波状畝と、該第１波状畝に対して半波長分ずれており且つ隣接した２本の第２波状畝とからなり、前記２本の第１波状畝の一方の波の山と前記２本の第２波状畝の一方の波の谷とが接し、他方の第１波状畝の波の谷と他方の第２波状畝の波の山とが接しており、互いに接する第１波状畝と第２波状畝に囲まれた凹部がインナー・ウェアの内面に形成され、該第１および第２波状畝が多数本形成されたマッサージ領域が設けられていることを特徴とするインナー・ウェアにより上記目的を達成する。
【００１０】
また、本発明においては、前記第１波状畝を形成する各畝および第２波状畝を形成する各畝はウェール方向において１つ保持ループに対して連続してウエルトループが４コース分以上が形成された浮き編が１〜３ウェールの間隔を開けて編成され且つ前記浮き編の開始位置が波状に順次ずらされて、前記波状畝が形成されていることが好ましい。
【発明の効果】
【００１１】
本発明によれば、インナー・ウェアの内面において内方に突出する畝が波状の畝であって、しかも同じ波長で２本の畝が隣合って並んだ状態となっている。従って、この２本並んだ畝により幅広く皮膚に接触するので、大きなマッサージ効果が生じる。しかも、この波状の畝は隣合って並列した２本の第１波状畝とその第１波状畝に対して半波長ずれ且つ隣合って並列した２本の第２波状畝とからなり、２本の第１波状畝の一方と２本の第２波状畝の一方とがそれぞれ山と谷、或いは谷と山とが接しまたは接近しており、第１波状畝の他方と第２波状畝の他方とがそれぞれ谷と山、或いは山と谷とが接しまたは接近しており、これらの第１波状畝と第２波状畝によってインナー・ウェアの内面に多数の凹部が形成されるものである。このような構成としたことにより、所定面積当たりに効率的に畝と凹部とを配置することができる。
【００１２】
本発明によれば、第１の波状畝に対して半波長分ずれた第２の波状畝を接しまたは接近して設けたことにより、マッサージ効果が縦方向や横方向のみならず全方向において発揮され、着用者が体を動かすたびに全方向において血行の促進が促されるものである。そして、波状畝と凹部とを設けたことにより、着圧の強弱が生じ、より一層血行の促進が図れる。また、前記凹部において空気が溜められ、保温効果が大きなインナー・ウェアとなる。
【発明を実施するための最良の形態】
【００１３】
以下、本発明の実施の形態を図面に基いて説明する。図１は本発明のインナー・ウェアの一実施例を示すものであり、この図１に示したインナー・ウェアはハイウエストのパンツ部および脚部を有するハイウエストボトム（下衣）であり、図１（ａ）は正面図を示し、図１（ｂ）は背面図を示している。
【００１４】
図１に示した実施例においては、脚部１および腰部２の箇所に本発明の特徴とするマッサージ領域Ａが設けられている。図２は図１において、脚部１および腰部２に形成されたマッサージ領域Ａをインナー・ウェアの内面側から見た編地の平面図であり、未着用時の状態を示すものである。図３は図２に示したマッサージ領域Ａにおける波状畝を模式的に表した拡大平面図である。図４は図３におけるＩＶ−ＩＶ線に沿った断面を模式的に表した断面図である。
【００１５】
図３および図４に示すように、同じ波長で隣接して並列配置された２本の第１波状畝１１、１２と第１波状畝と半波長ずらしているが、同じ波長で隣接して並列配置された２本の第２波状畝２１、２２が交互に多数本設けられている。第１波状畝１１の谷と第２波状畝２１の山とが接している状態となっている。また、第１波状畝１２の山と第２波状畝２２の谷が接している。これらの第１波状畝１１、１２と第２波状畝２１、２２の山と谷、または谷と山が接することにより両波状畝の間に凹部３０が形成されている。これらの波状畝１１、１２、２１、２２はインナー・ウェアの内面において内方に突出し、すなわち着用者の肌に接する側に突出しており、インナー・ウェアは表側から見ると、その表面は略平坦である。
【００１６】
本発明においては、第１波状畝１１、１２および第２波状畝２１、２２の波の波長や高さ、畝の幅などは特に限定されないが、好ましくは、図２に示すような未着用状態で、波長は０．５ｃｍ〜３ｃｍ、特に好ましくは１．５ｃｍ〜２．５ｃｍ程度であり、各１本の畝の幅は０．５ｍｍ以上であり、更に好ましくは１ｍｍ〜２ｍｍである。
【００１７】
図５は本発明のマッサージ領域Ａの編地の一実施例の編組織図であり、１つの四角い枡目が１目を表し、黒く塗り潰した箇所は編成時に編針が不作動位置を取り、浮き編が行われ、白い箇所は編成時に編針が上下動して平編目を形成する。図６は図５の一部分を拡大した編目で表した編組織図である。
【００１８】
図５および図６に示す実施例においては、第１波状畝１１、１２および第２波状畝２１、２２を構成する浮き編は１つの編針において（すなわち、ウェール方向Ｗにおいて）殆どが１１コース連続して浮き編が行われたものであり、図６に示すように１１個のウエルトループ４１が編成され、その次のコースにおいて保持ループ４２が編まれて編目が形成される。すなわちウエルトループ４１と保持ループ４２により浮き編４０が構成されている。なお、この実施例では１１コース連続してウエルトループ４１が形成されているが、４コース以上連続してウエルトループ４１が形成されていれば良く、１０〜１２コース連続してウエルトループ４１が形成されていることが好ましい。
【００１９】
図５に示すように、多数の浮き編４０がコース方向Ｃに並列して配置されており、図示した実施例においては、隣接した浮き編４０の開始位置がコース方向Ｃにおいて上方または下方に２コース分ずつずらして、または同じ位置から開始されている。なお、このずらすコース数は２コースに限定されないが、２〜５コースであることが好ましい。このように浮き編４０の開始位置を変化させて波状としている。また、図５および図６に示した実施例では浮き編４０とその隣の浮き編４０の間にはウェール方向Ｗに通常の平編目が連続しているウェール（以下、連続平編目ウェールと称する）４５が形成されている。この実施例では隣り合う浮き編４０の間の連続平編目ウェール４５は１つであるが、連続平編目ウェール４５はコース方向Ｃに１〜３本連続して配置してもよい、すなわち浮き編４０が１〜３ウェール置きに形成されるようにしてもよい。
【００２０】
浮き編４０による保持ループ４２が実際には図６に示したように長くはなく、縮んだ状態であるので、図４に模式的に示したように、保持ループ４２は真直ぐに延びた状態になり、連続平編目ウェール４５の編目およびウエルトループ４１がインナー・ウェアの内面において内側に隆起して、コース方向に延在する畝の状態となる。
【００２１】
また図５に示すように、第１波状畝１１、１２および第２波状畝２１、２２で囲まれてインナー・ウェアの内側から見た場合、凹部となる部分３０の内部は殆ど平編で編まれるが、部分的に短い浮き編が形成されている。この凹部３０の中に形成される浮き編は短いことおよびその形成される位置がばらばらに分散されているため、インナー・ウェアの内側に突出した畝を形成しない。
【００２２】
本発明においては、編糸としては伸縮性のある糸を使用すれば特に限定されないが、弾性糸（例えば、ポリウレタンを芯糸として、これにナイロン糸をカバリングしたもの、ＦＴＹ、ＳＣＹ、ＤＴＹなど）、ウーリーナイロン糸、弾性糸とウーリーナイロン糸とを組合せたものなどが使用できる。
【００２３】
例えば、図５に示したような編組織を８口給糸の丸編機を使用して編成する場合の糸使いの一例を説明する。第１、第３、第５、第７給糸口に給糸する糸Ｙ１は、２０デニールのポリウレタン糸を７０デニール／６８フィラメントのナイロン糸でカバリングした弾性糸〔ＳＣＹ（シングルカバリングヤーン）〕と４０デニールのポリウレタン糸を７０デニール／６８フィラメントのナイロン糸でカバリングしたＳＣＹとを組合せたものとする。第２、第４、第６および第８給糸口には４０デニールのポリウレタン糸を７０デニール／６８フィラメントのナイロン糸でカバリングした弾性糸（Ｙ２）を供給する。この場合、図６に示した保持ループとなる糸４２は糸Ｙ１でも糸Ｙ２でもどちらでもよい。なお、糸の組合せは前述したものに限定されるものではない。
【００２４】
図５に示すように、第１波状畝１１と第１波状畝１２の間および第２波状畝２１と第２波状畝２２の間には波状の平編部１３、２３が存在しているが、この平編部１３、２３のウェール方向Ｗの編目の数は図５および図６に示した実施例では例えば第１波状畝１１の浮き編４０と第１波状畝１２の浮き編４０との間の平編部１３の編目は３目（山および谷の箇所では７目）である。この平編部の編目は３目に限らず、２〜７目位でもよい。隣接する波状畝の間隔があまり開き過ぎると、全体としてマッサージ領域Ａにおける肌に接触する面積が少なくなってしまうので、未着用状態で２つの畝が接して見える程度とすることが好ましい。
【００２５】
本発明におけるマッサージ領域Ａにおける第１波状畝１１、１２および第２波状畝２１、２２は、図５および図６に示したものに限られるものではない。畝の高さを決定するのは、ウェール方向Ｗに連続して形成されるウエルトループ４１の数によって変わり、ウエルトループ４１の数が多い場合は（すなわち、長い浮き編の場合は）畝が高くなり、ウエルトループ４１の数が少なければ畝は低くなる。しかしながら、あまり長い、例えばウエルトループ４１の数が２５以上の場合はインナー・ウェアの着用時に畝が潰れてしまい、着圧が弱くなってしまう可能性がある。
【００２６】
図１に示したインナー・ウェアの他のマッサージ領域Ａ以外の部分の編み方の一実施例を簡単に説明する。前身頃における腹部３の編方は図７に示した編目で表した編組織図のように編成される。すなわち、第１、第３、第５および第７給糸口で供給される糸Ｙ１はコース方向において平編を１つ編んだ後３ウェール分連続して浮き編が行われ、この繰返しが行われている。すなわち、３ウェール分連続して編針は不作動位置をとり、糸Ｙ１はウエルトループ４１となっている。そして第２、第４、第６および第８給糸口から供給される糸Ｙ２は全て平編で編まれる。すなわち、図７に示すように、ウェール方向Ｗに連続して平編目が形成されているウェール（連続平編目ウェール）４５が４ウェール毎に形成されている。この連続平編目ウェール４５の間においては、糸Ｙ２により浮き編４０における保持ループ４２が形成され、この糸Ｙ２による編目は平編目であり、インナー・ウェアの表側に現れる。一方、ウエルトループ４１は糸Ｙ２による編目の後側となり、インナー・ウェアの内側において横方向（コース方向Ｃ）に浮いた状態となって延びている。このため、連続平編目ウェール４５と次の連続平編目４５との間では、インナー・ウェアの表側は糸Ｙ２による平編目が、裏側は横方向に浮いた感じで延びた糸Ｙ１がウェール方向Ｗに連続して存在している。このため、連続平編目ウェール４５はインナー・ウェアの表側から見ても裏側から見ても窪んだ状態となるので、この部分の編地は一見してリブ編風の表情を呈するものである。
【００２７】
図７に示すように、連続平編目ウェール４５の間においては、弾性糸Ｙ１により編目が作られていないので、横方向（コース方向Ｃ）の糸Ｙ１の長さが編目を形成した場合よりも短くなり、従って、伸び量が少なくなる。また、連続平編目ウェール４５の間においては、１コース置きに浮き編が行われたため、保持ループ４２による平編目の数は全て平編で編成した場合の約半分である。このように図７の編組織による編地は編目の数が少なくなっている部分があるので、ウェール方向Ｗの伸びも小さくなる。このため腹部における引締め効果が得られる。
【００２８】
後身頃においてヒップ部４は平編により編成される。平編であると縦方向にも横方向にも伸びやすいので、着用者のヒップの丸みを潰さずにヒップを包み込むことができる。なお、ヒップ部４の編方は平編に限定されないが、浮き編やタック編を多用しない編方の方が、編地が伸び易いので好ましい。
【００２９】
ヒップ部４の周縁部５は図８に示したような編方で編成した。図８は図７と同様に編目で表した編組織図である。図８で示した編み方は図７に示したものに類似しており、編まれた編地はリブ編風のものとなる。図７の編地と異なっている点は、連続平編目ウェール４５と隣の連続平編目ウェール４５との間のウェール数は、図７においては３ウェールであったが、図８では２ウェールであり、連続平編目ウェール４５はコース方向Ｃにおいて３ウェール毎に形成されている。すなわち、糸Ｙ１によって、コース方向Ｃに浮き編が２ウェール分連続して行われ、次に平編が編成されることが繰返されている。また、糸Ｙ２により全て平編で編成が行われている。図８に示した編地はコース方向Ｃに連続して行われる浮き編の数が図７に示した編地よりも少ないので、コース方向Ｃにおける伸びは図７に示した編地よりはよい。
【００３０】
ヒップ周縁部５の下方の部分から前身頃の腹部３の上方に向かってヒップサポート部６が編成されている。ヒップサポート部６の編方の一実施例が図９に示されており、図９は編組織を編目で表した編組織図である。図９の編方も図７に示した編方と類似しており、異なっている点は弾性糸Ｙ１によりコース方向Ｃにおいて連続して４ウェール分浮き編が行われ、すなわち、４ウェール分連続したウエルトループ４１が形成される。その後、平編が１目行われ、再び４ウェール分連続して浮き編が行われる。この繰返しとなっている。また第２、第４、第６および第８給糸口で給糸される糸Ｙ２によって全て平編目で編成が行われている。従って、このヒップサポート部６を形成している編地もリブ編風となっているが、４ウェール分連続してコース方向Ｃに浮き編が行われているために、糸Ｙ１によりコース方向Ｃの伸びがより一層小さくなっている。このためにヒップを下方から支える役目が行え、またヒップサポート部６の編組織が前身頃側に斜めに連続して形成されていることによりヒップアップ効果がより一層図られる。
【００３１】
後身頃側において、ヒップサポート部６の下側にサポート下部７が設けられている。サポート下部７の編方は図示した実施例では図８に説明したヒップ周縁部５の編方と同じである。このサポート下部７はヒップサポート部６を補強する役目をしている。
【００３２】
図１０は左右のヒップ４の間のヒップ中間部８の編方を示す一実施例である。図１０によれば、コース方向Ｃには連続平編目ウェール４５が１ウェールおきに形成され、すなわち、隣の連続平編目ウェール４５との間は浮き編は１ウェール分行われているだけである。この浮き編が形成されているウェールにおいては、ウェール方向Ｗに浮き編が７回繰返され、次に１回平編が編まれている。すなわち、ウェール方向Ｗにおいては８コース毎に全ての編目が平編目で編成され、その間の各コースにおいては浮き編、平編の繰返しとなっている。例えば、第１から第７給糸口から供給される糸Ｙ１およびＹ２によってコース方向Ｃに平編と浮き編が交互に繰返されており、浮き編が行われた編針では次の給糸口の箇所でも浮き編が行われている状態となっている。そして第８給糸口から供給されるＹ２によって全て平編が編成される。従って、ウェール方向に７つ飛んだ浮き編が形成されている。このため、ヒップ中間部８の編地は、ウェール方向Ｗに長さが縮まった状態となっている。このため隣接するヒップ部４は全て平編で編まれた状態であるので、長さが短いヒップ中間部８のために、ヒップ部４にひだ４ａが形成されている。このようにヒップ中間部を短くしたのは、着用者のヒップの丸みが保たれるとともにヒップの形状に合うようにしているものである。
【００３３】
後身頃における腰部２にはＸ字状に帯状の腰サポート部９が編成されている。この帯状の腰サポート部９の編方はヒップサポート部６の編方と同様のものを使用した。このため腰サポート部９は横方向の伸びがあまり大きくない状態であり、マッサージ領域Ａとともに腰を曲がりにくくして、姿勢を正しく保つための補助の役目を果たしている。
【００３４】
本発明によるマッサージ領域Ａを有するインナー・ウェアとしては、図１に示したような下衣のみではなく上衣に適用してもよい。例えば、袖を有する上衣に適用する場合は、前身頃の腹部や背中部にマッサージ領域Ａを適用するとともに、袖部の箇所にもマッサージ領域Ａを適用することが好ましい。またタンクトップなどにも本発明のマッサージ領域Ａの編方を適用することもできる。更に、靴下などにおいても、本発明のマッサージ領域Ａを設けるようにして血行の促進を図るようにしてもよい。
【図面の簡単な説明】
【００３５】
【図１】図１（ａ）は本発明のインナー・ウェアの一実施例の正面図であり、（ｂ）はその背面図である。
【図２】図１において、脚部および腰部に形成されたマッサージ領域Ａを未着用時の状態のインナー・ウェアの内面側から見た編地の平面図である。
【図３】図２に示したマッサージ領域Ａにおける波状畝を模式的に表した拡大平面図である。
【図４】図３におけるＩＶ−ＩＶ線に沿った断面を模式的に表した断面図である。
【図５】本発明のマッサージ領域Ａの編地の一実施例の編組織図である。
【図６】図５の一部分を拡大した編目で表した編組織図である。
【図７】腹部の編組織の一実施例を編目で表した編組織図である。
【図８】ヒップ周縁部およびサポート下部の編組織の一実施例を編目で表した編組織図である。
【図９】ヒップサポート部および腰サポート部の編組織の一実施例を編目で表した編組織図である。
【図１０】ヒップ中間部の編組織の一実施例を編目で表した編組織図である。
【符号の説明】
【００３６】
Ａ  マッサージ領域
Ｙ１、Ｙ２  編糸
Ｃ  コース方向
Ｗ  ウェール方向
１  脚部
２  腰部
３  腹部
４  ヒップ部
６  ヒップサポート部
１１、１２  第１波状畝
２１、２２  第２波状畝
３０  凹部
４０  浮き編
４１  浮き編のウエルトループ
４２  浮き編の保持ループ
４５  連続平編目ウェール
【図１】
2006144197.tif 000003
【図２】
2006144197.tif 000004
【図３】
2006144197.tif 000005
【図４】
2006144197.tif 000006
【図５】
2006144197.tif 000007
【図６】
2006144197.tif 000008
【図７】
2006144197.tif 000009
【図８】
2006144197.tif 000010
【図９】
2006144197.tif 000011
【図１０】
2006144197.tif 000012